(57)【要約】【課題】カバー部材の装着が容易な照明器具を提供する。【解決手段】照明器具は、筐体、基板、カバー部材を具備する。筐体は、一端側に受け部を有する。基板は、複数の発光素子が実装されている。カバー部材は、受け部に引掛ける引掛部と、固定部材を介して着脱可能に固定される固定部とを有し、基板を挟んで筐体と向かい合うように配置される。【選択図】図４
2019149311.tif 000002
【特許請求の範囲】
【請求項１】
一端側に受け部を有する筐体と；
複数の発光素子が実装されている基板と；
前記受け部に引掛ける引掛部と、固定部材を介して着脱可能に固定される固定部とを有し、前記基板を挟んで前記筐体と向かい合うように配置されるカバー部材と；
を具備することを特徴とする照明器具。
【請求項２】
前記筐体の前記一端側に取付部を有し、
前記固定部は、前記受け部よりも前記筐体の他端寄りに固定されることを特徴とする請求項１に記載の照明器具。
【発明の詳細な説明】
【技術分野】
【０００１】
本発明の実施形態は、照明器具に関する。
【背景技術】
【０００２】
筐体の下面に光源が配設され、この光源を覆うようにグローブが配設された照明器具が知られている。かかる照明器具は、筐体の一端側に設けられた取付部をポールや電柱等に取り付け、例えば防犯灯や街路灯等として利用されている。
【０００３】
照明器具の設置環境等に応じて、歩行者等に対するグレア（glare）が発生する場合がある。かかる場合、例えばグローブの外側をカバー部材で覆い、グレアの発生を低減させる対策がなされている。
【先行技術文献】
【特許文献】
【０００４】
【特許文献１】特開２０１７−１０７７３号公報
【発明の概要】
【発明が解決しようとする課題】
【０００５】
本発明が解決しようとする課題は、カバー部材の装着が容易な照明器具を提供することである。
【課題を解決するための手段】
【０００６】
実施形態の照明器具は、筐体、基板、カバー部材を具備する。筐体は、一端側に受け部を有する。基板は、複数の発光素子が実装されている。カバー部材は、受け部に引掛ける引掛部と、固定部材を介して着脱可能に固定される固定部とを有し、基板を挟んで筐体と向かい合うように配置される。
【発明の効果】
【０００７】
本発明によれば、カバー部材の装着が容易な照明器具を提供することができる。
【図面の簡単な説明】
【０００８】
【図１】実施形態に係る照明器具の外観例を示す側面図である。
【図２】実施形態に係る照明器具を示す分解斜視図である。
【図３】実施形態に係る照明器具を示す側断面図である。
【図４】カバー部材の装着例を示す斜視図である。
【発明を実施するための形態】
【０００９】
以下に説明する実施形態に係る照明器具１は、筐体２、基板２１、カバー部材６０を具備する。筐体２は、一端側に受け部７１を有する。基板２１は、複数の発光素子２２が実装されている。カバー部材６０は、受け部７１に引掛ける引掛部６４と、固定部材を介して着脱可能に固定される固定部６５とを有し、基板２１を挟んで筐体２と向かい合うように配置される。
【００１０】
また、以下に説明する実施形態に係る照明器具１は、筐体２の一端側に取付部６を有し、固定部６５は、受け部７１よりも筐体２の他端寄りに固定される。
【００１１】
以下に、本発明に係る実施形態を図面に基づき説明する。なお、以下に示す実施形態は、本発明が開示する技術を限定するものではない。また、実施形態において同一の部位には同一の符号を付し、重複する説明は省略する。
【００１２】
図１は、実施形態に係る照明器具の外観例を示す側面図である。図２は、実施形態に係る照明器具を示す側断面図である。図３は、実施形態に係る照明器具を示す分解斜視図である。図１〜図３に示すように、照明器具１は、筐体２、光源２０、光センサ２５、レンズ部材３０、パッキン４０、グローブ５０、カバー部材６０を有する。照明器具１は、光センサ２５が検知した周囲の明暗に基づいて光源２０が点灯および消灯する照明器具である。照明器具１は、例えば防犯灯や街路灯等として主に屋外で使用される。
【００１３】
筐体２は、収容部３、内壁４，５、取付部６、採光孔７、配線孔８、通気孔９、環状溝１０、挿入部７０、受け部７１、装着部７２を有する。筐体２は、例えば鋼鉄またはアルミニウム合金などの金属で構成される。筐体２は、取付部６を有する一端側から装着部７２を有する他端側に至る長さ方向に長い形状に形成されている。
【００１４】
収容部３は、筐体２の長さ方向に延在するように設けられており、カバー部材６０と向かい合うように開口している。筐体２とカバー部材６０との間には、後述する基板２１が収容部３を覆うように配設されている。
【００１５】
内壁４は、筐体２の長さ方向に直交する幅方向に延在する板状の部材であり、収容部３の内側に一体に形成される。内壁４は、収容部３の長さ方向の中間領域に配置される。内壁５は、筐体２の長さ方向の他端側から内壁４側に向かって長さ方向に突出する複数の板状の部材である。内壁４，５は、筐体２の底面２ｂからカバー部材６０側に向けて突出し、基板２１と接触するように配置される。なお、内壁４，５は、後述する基板２１の発光素子２２が実装される領域に形成されている。また、長さ方向の内壁５は、発光素子２２が実装された基板２１の裏面に位置することで、点灯中の発光素子２２の熱を効率よく伝導することが可能となる。収容部３のうち、内壁４を挟んで筐体２の他端側の部分を光源側収容部３ａと称する場合がある。本実施形態では、光源側収容部３ａに所定間隔で形成された２つの内壁５を有するが、１以上の内壁５を有すればよい。
【００１６】
取付部６は、筐体２の長さ方向の一端側に形成される。取付部６は、筐体２の幅方向に並ぶ取付部片６ａ，６ｂを有し、例えばワイヤやクランプなどの取付部材を用いて道路の脇に設置されたポールや電柱等に取り付けられる。
【００１７】
採光孔７、配線孔８、通気孔９は、筐体２の外部と収容部３とを連通させるようにそれぞれ設けられた貫通孔である。本実施形態では、採光孔７は長さ方向の中間部分において一端側寄りに設けられており、配線孔８、通気孔９は、取付部６を有する一端側にそれぞれ形成されている。
【００１８】
採光孔７は、照明器具１の外部からの光を収容部３の内部に取り入れる。配線孔８は、点灯装置２７に対して電力を供給するための配線を収容部３の内部に引き込む。配線孔８の周縁部には、例えば樹脂またはゴム製のブッシング１１がはめ込まれる。ブッシング１１には、図示しない配線を挿通するための挿通孔１１ａが設けられている。通気孔９は、照明器具１の内部圧力に応じて気体の流通が可能となる内圧調整フィルタ９ａによって閉塞されている。
【００１９】
挿入部７０および受け部７１は、取付部６を有する筐体２の一端側に設けられている。挿入部７０は、筐体２の収容部３と受け部７１との間に配置された開口であり、受け部７１は、筐体２の幅方向に並ぶ取付部片６ａ，６ｂ間に架け渡されるように配置され、挿入部７０の端部を規定する。
【００２０】
また、装着部７２は、筐体２の他端側に設けられた貫通孔である。挿入部７０、受け部７１、装着部７２は、カバー部材６０の装着に使用される。筐体２の挿入部７０、受け部７１、装着部７２を用いたカバー部材６０の装着例については、カバー部材６０の説明と合わせて後述する。
【００２１】
環状溝１０は、パッキン４０を収容するための溝であり、照明器具１内の防水性を確保する。
【００２２】
また、筐体２の収容部３には、センサパッキン１２、センサカバー１３、遮光筒１４、光センサ２５が収容されている。
【００２３】
光センサ２５は、照明器具１の周囲の明暗を検知して光源２０を点灯および消灯する照度センサである。光センサ２５は、基板２１に実装され、点灯装置２７に接続されている。点灯装置２７は、光センサ２５が検知した照度が所定値以下となった場合に光源２０を点灯させ、検知された照度が所定値を超えた場合に光源２０を消灯させるよう制御する。
【００２４】
センサパッキン１２は、採光孔７とセンサカバー１３との間の隙間を埋めるための環状のシール部材である。センサカバー１３は、採光孔７内に配設され、採光孔７から入射した光を収容部３の内部に取り入れるとともに、収容部３の内部に雨水やほこりなどの異物が進入するのを防ぐ有底筒状の透光性の部材である。
【００２５】
遮光筒１４は、不透光性の部材で構成された筒状の部材である。遮光筒１４は、センサカバー１３の一端１３ａ側外周を覆うようにセンサカバー１３の一端１３ａ側に差し込まれ配置されている。遮光筒１４およびセンサカバー１３は、互いに接していてもよく、わずかに離間していてもよい。これにより、センサカバー１３から伝導された採光量をそのまま基板２１上の光センサ２５に伝えることができる。
【００２６】
また、遮光筒１４は、基板２１の第１主面２１ａと向かい合う端部１４ａ側から内側に張り出す返し部１４ｂを有する。遮光筒１４は、光センサ２５を収容するように光センサ２５の周囲を覆いつつ、返し部１４ｂがスペーサ２６の側面に当接するように配置される。
【００２７】
このようにセンサカバー１３、遮光筒１４、光センサ２５をそれぞれ配置することにより、採光孔７から入射した光を光センサ２５に確実に誘導することができる。また、採光孔７から入射した光以外の光、すなわち遮光筒１４の外周側および遮光筒１４と基板２１との間から回り込む光をより確実に遮断することができる。このため、光センサ２５による照明器具１の周囲の明暗の検知精度が向上する。なお、光センサ２５は基板２１に実装されればよく、基板２１はスペーサ２６を有しなくても構わない。
【００２８】
次に、光源２０について説明する。光源２０は、基板２１と、基板２１の第２主面２１ｂに実装された複数の発光素子２２および点灯装置２７とを有する。基板２１は、例えばガラスエポキシ樹脂などの絶縁性を有する平板であり、レンズ部材３０を係止するための係止孔２４がレンズ部材３０と向かい合う基板２１の幅方向の縁部に設けられている。
【００２９】
また、基板２１の第１主面２１ａおよび第２主面２１ｂには銅箔などの導電性材料で形成された配線パターンがそれぞれ施されており、適宜レジスト層が施されるようになっている。なお、基板２１の材料は、絶縁材とする場合には、セラミックス材料または合成樹脂材料を適用してもよい。また、基板２１の材料は、金属製としてもよく、かかる場合には、例えばアルミニウムなどの熱伝導性が良好で放熱性に優れた材料を適用するのが好ましい。基板２１の表面は、光の反射率が高い白色に塗装してもよい。
【００３０】
発光素子２２は、基板２１上の配線パターンによりそれぞれ点灯装置２７に接続されており、点灯装置２７から直流出力が供給され、点灯装置２７により点灯制御される。発光素子２２は、基板２１の長さ方向および幅方向に沿うように複数配置されている。発光素子２２は、例えばセラミックスで形成された本体に配設されたＬＥＤチップと、このＬＥＤチップを封止するエポキシ系樹脂やシリコーン樹脂等のモールド用の透光性樹脂とを含む。
【００３１】
ＬＥＤチップは、例えば、青色光を発する青色のＬＥＤチップである。透光性樹脂には、蛍光体が混入されており、白色光を出射できるようにするために、青色の光とは補色の関係にある黄色系の光を放射する黄色蛍光体が使用されている。なお、ＬＥＤチップは、例えば赤色光や緑色光を発するものであってもよい。
【００３２】
また、ＬＥＤは、ＬＥＤチップを直接基板２１に実装するようにしてもよく、また、砲弾型のＬＥＤを実装するようにしてもよく、実装方式や形式は、特に限定されるものではない。
【００３３】
点灯装置２７は、商用交流電源に接続されており、この商用交流電源を受けて直流出力を生成し、発光素子２２の点灯および消灯を制御するように構成される。点灯装置２７は、基板２１に実装された複数の回路部品２８を有する。回路部品２８は、発光素子２２が実装されている第２主面２１ｂとは異なる第１主面２１ａでかつ、取付部６を有する筐体２の長さ方向の一端側に実装された比較的体積の大きな電子部品である。このように筐体２の収容部３を１枚の基板２１で覆うように配設することで、比較的大きな回路部品２８は筐体２内の空間である収容部３に収容されることになる。このように基板２１の一端側の第２主面２１ｂには発光素子２２を、他端側の第１主面２１ａには回路部品２８をそれぞれ設けることで１枚の基板２１に対して発光素子２２および回路部品２８を効率よく実装でき、部品点数を削減することができる。
【００３４】
次に、レンズ部材３０について説明する。レンズ部材３０は、複数の凹部３２、膨出部３５を一体に有する。凹部３２は、基板２１の第２主面２１ｂに実装された発光素子２２とそれぞれ向かい合うように配置されている。凹部３２は、対応する発光素子２２と向かい合うように第１面３１側にそれぞれ設けられ、発光素子２２を収容する。凹部３２は、平面視で略楕円形状を有しており、長さ方向が基板２１の長さ方向に沿うように設けられている。
【００３５】
膨出部３５は、レンズ部材３０の第１面３１とは反対側の第２面３４側に設けられており、複数の膨出部３５が協働してレンズ部材３０が有する光配向性を規定する。レンズ部材３０は、例えば道路の幅方向および道路の長さ方向に向けて配光を制御している。特に道路の脇や歩道等に設置されて道路を照射する照明器具１では、道路の長さ方向に向けて比較的多く照射光を照射することが要求される。そのため、レンズ部材３０は、筐体２の長さ方向よりも幅方向側に長い一対の膨出部３５を有し、幅方向に向けて膨出部３５が出射面となり、光を道路の長さ方向へ照射している。これにより、発光素子２２から出射された光を基板２１の長さ方向の凹部３２の入射面に効率よく入射するとともに出射面である膨出部３５から照射可能となる。
【００３６】
また、レンズ部材３０は、複数の膨出部３５を連結する平坦部３６を有している。平坦部３６は、第１面３１側が基板２１の発光素子２２実装面である第２主面２１ｂに接触するよう配設される。また、平坦部３６から基板２１の幅方向に沿う方向の両端に一対の係止部３３を有する。係止部３３は、基板２１側に向けて突出し、基板２１に設けられた係止孔２４に挿入可能となるように設けられている。また、一対の係止部３３は、基板２１の長さ方向に沿うように延びる係止爪３３ａをそれぞれ有する。
【００３７】
レンズ部材３０は、基板２１の長さ方向にレンズ部材３０をスライドさせることで係止される。具体的には、係止部３３を係止孔２４に差し込み、レンズ部材３０の平坦部３６と基板２１の第２主面２１ｂとを接触または近接させた後、レンズ部材３０を取付部６側に近づけるような向きにスライドさせることでレンズ部材３０が基板２１に係止される。このようにレンズ部材３０をスライドさせて係止することにより、発光素子２２とレンズ部材３０の凹部３２との距離を近接することができるため、発光素子２２から出射した光を、レンズ部材３０を介して効率よく配光制御することが可能となる。また、例えばねじ止めによりレンズ部材３０と基板２１とを固定する場合と比較して部品点数を削減することができる。なお、レンズ部材３０と基板２１とをより確実に固定するためにねじ止めを併用してもよい。
【００３８】
また、凹部３２は、レンズ部材３０のスライド前後で発光素子２２と向かい合うようにスライド方向に延在している。このため、レンズ部材３０と基板２１とを係止する前後において発光素子２２と凹部３２との干渉を回避することができる。
【００３９】
なお、凹部３２は、凹部３２の長さ方向が基板２１の長さ方向に沿うように設けられているとしたが、これに限らず、例えば道路の幅方向に多くの光を照射させたい場合など、一対の膨出部３５が長さ方向に並ぶように形成されている場合においては、長さ方向が基板２１の幅方向に沿うように設けられてもよい。また、基板２１に係止されるためのレンズ部材３０のスライド方向を変更し、図示した方向とは反対の向きにレンズ部材３０をスライドさせることでレンズ部材３０が基板２１に係止されるよう係止爪３３ａの位置を変更してもよい。
【００４０】
また、レンズ部材３０のスライド方向が基板２１の幅方向に沿うよう係止部３３および係止孔２４の配置および形状を変更してもよい。さらに、基板２１が係止部３３を有し、レンズ部材３０が係止孔２４を有する構成としてもよい。
【００４１】
パッキン４０は、例えばシリコーンゴムであり、環状溝１０に収容されて筐体２とグローブ５０との間の防水性を確保する。
【００４２】
グローブ５０は、底面５１、周壁５２、環状凸部５３、仕切部５４を有する。グローブ５０は、例えば、アクリルやポリカーボネート等の透光性の材料から作られている。グローブ５０は、フロスト処理が施されてレンズ部材３０から出射される光を拡散する機能を有するようになっている。なお、グローブ５０に適宜拡散材を混入させて光の拡散性をもたせるようにしてもよい。
【００４３】
グローブ５０の底面５１は、光源２０の基板２１面から比較的内空間を高く形成することで、レンズ部材３０により配光制御された光を効率よく照射側へ照射可能となる。
【００４４】
グローブ５０は、パッキン４０を環状凸部５３で押圧するように配置され、筐体２とグローブ５０との間の防水性を確保する。また、隣り合う底面５１および周壁５２が交差する部分は、それぞれ所定の大きさの曲率半径で面取りされ、またはアールがつけられている。このため、隣り合う底面５１および周壁５２が交差する部分に稜線を有する場合と比較してレンズ部材３０により配光制御された光を道路の幅方向へ効率よく出射することができる。
【００４５】
カバー部材６０は、底面６１、周壁６２、内面６３、引掛部６４、固定部６５を有する。カバー部材６０は、例えば、アクリルやポリカーボネート等の透光性の材料から作られている。カバー部材６０は、所望の光拡散性を有するようフロスト処理が施されている。また、カバー部材６０に適宜拡散材や着色剤を混入させてもよい。
【００４６】
カバー部材６０は、グローブ５０から出射される光をさらに拡散することでグレアの発生を低減する。また、カバー部材６０は、着色剤に応じて着色された光を出射する。カバー部材６０は、例えばグローブ５０から出射された光が眩しいので対策したい、あるいは所望の着色光を出射させたいといった要望に応じて出射光を調整するための調整部材である。カバー部材６０は、所定の設置個所に取り付けられた照明器具１においても着脱することができる。
【００４７】
カバー部材６０の底面６１および周壁６２は、グローブ５０の底面５１および周壁５２と向かい合うように形成されている。また、カバー部材６０の内面６３は、内部空間にグローブ５０が収容できるように形成されている。内面６３は、グローブ５０とは離れていてもよく、また接触してもよい。
【００４８】
引掛部６４は、カバー部材６０の周壁６２のうち、長さ方向の一端から外側に張り出すように形成されている。引掛部６４は、筐体２の挿入部７０に挿入可能な形状を有している。固定部６５は、カバー部材６０の周壁６２のうち、長さ方向の他端側に設けられた略円弧形状の切欠きである。
【００４９】
カバー部材６０は、引掛部６４、固定部６５を用いて筐体２に装着される。ここで、筐体２に対するカバー部材６０の装着の一例について、図２〜図４を参照して説明する。図４は、カバー部材の装着例を示す斜視図である。
【００５０】
まず、筐体２の挿入部７０に引掛部６４の端部を挿入する。次に、挿入部７０に挿入した引掛部６４が接触または近接するように受け部７１に引掛け、このままカバー部材６０の他端側をグローブ５０に近づけるよう、図４の矢印１００に示す向きに移動させる。そして、固定部６５が筐体２の装着部７２と向かい合うようにカバー部材６０の位置を微調整し、ねじ等の図示しない固定部材を用いて筐体２とカバー部材６０とを固定する。これにより、カバー部材６０の引掛部６４が筐体２の受け部７１に保持され、固定部６５が筐体２の装着部７２に固定され、カバー部材６０は筐体２に装着される。
【００５１】
このようにカバー部材６０は、引掛部６４を用いて筐体２に装着されることにより、部品点数を削減することができ、さらにカバー部材６０の装着が容易となる。また、引掛部６４を保持する受け部７１が、取付部６と同じ筐体２の一端側に設けられているため、照明器具１がポールや電柱等に取り付けられた状態のままであっても、カバー部材６０の装着や交換作業といった着脱作業が容易になり、施工性が向上する。
【００５２】
なお、上記した実施形態では、発光素子２２は光センサ２５が検知した明暗に基づいて点灯および消灯するとして説明したが、これに限らず、光センサ２５が検知した明または暗に基づいて点灯および消灯のうち一方を実行することとしてもよい。かかる場合、点灯装置２７は、例えば予め定められた時刻に発光素子２２の点灯および消灯のうち他方を実行することができる。
【００５３】
また、上記した実施形態では、カバー部材６０の固定部６５は筐体２の他端側に設けられた装着部７２に固定されるとして説明したが、固定部６５は筐体２の受け部７１よりも筐体２の他端寄りに固定されていればよく、装着部７２は図示した位置に形成されなくてもよい。
【００５４】
また、上記した実施形態では、カバー部材６０は筐体２に装着されるとして説明したが、これに限らず、グローブ５０に装着されてもよい。また、カバー部材６０の一方が筐体２に、他方がグローブ５０に、それぞれ装着されてもよい。
【００５５】
また、上記した実施形態では、グローブ５０は必須の構成として説明したが、照明器具１はグローブ５０を有さなくてもよい。かかる場合、カバー部材６０はグローブ５０が有する機能を備えることとなる。
【００５６】
実施形態に係る照明器具１は、筐体２、基板２１、カバー部材６０を具備する。筐体２は、一端側に受け部７１を有する。基板２１は、複数の発光素子２２が実装されている。カバー部材６０は、受け部７１に引掛ける引掛部６４と、固定部材を介して着脱可能に固定される固定部６５とを有し、基板２１を挟んで筐体２と向かい合うように配置される。これにより、カバー部材６０の装着が容易となる。
【００５７】
また、実施形態に係る照明器具１は、筐体２の一端側に取付部６を有し、固定部６５は、受け部７１よりも筐体２の他端寄りに固定される。これにより、照明器具１が高所や屋外に設置された状態でのカバー部材６０の着脱作業であっても、施工性が向上する。
【００５８】
本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００５９】
１  照明器具
２  筐体
３  収容部
６  取付部
２０  光源
２１  基板
２２  発光素子
３０  レンズ部材
３２  凹部
５０  グローブ
６０  カバー部材
６４  引掛部
６５  固定部
７１  受け部
７２  装着部
【図１】
2019149311.tif 000003
【図２】
2019149311.tif 000004
【図３】
2019149311.tif 000005
【図４】
2019149311.tif 000006